(57)【要約】【課題】第１に、例えば収納された飲料を飲んだ後などの使用後は、折り畳まれてコンパクト化され、第２に、もって使用後の保管や廃棄処分が、簡単容易化されて楽になる、ボトル容器を提案する。【解決手段】このボトル容器１は、上から順に口部２，胴部３，底部４を備えている。口部２は、外周面にネジ５が螺刻され、キャップ蓋６にて螺合開閉可能である。胴部３は、常時は、内部に収納空間７が形成される共に、使用後は、上下に圧縮変形，折り畳み可能である。又、底部４から胴部３内に向け内筒部８が立設されており、内筒部８は、有頂の円筒状をなし、内周面にネジ９が螺刻され、他の同一ボトル容器１の口部２のネジ５と、螺合可能である。更に、内筒部８は上方に突部１０が付設され、口部２は下方に受部１１が付設されており、胴部３が折り畳まれた際、突部１０が受部１１に係止可能である。【選択図】図１
2011131890.tif 000002
【特許請求の範囲】
【請求項１】
ボトル容器であって、上から順に小径の口部と、より大径の胴部と、底部とを、備えており、
該口部は、外周面にネジが螺刻され、上下面が開放された円筒状をなし、キャップ蓋にて螺合開閉可能となっており、該胴部は、常時は、内部に収納空間を形成して収納対象を収納すると共に、使用後は、上下に圧縮変形，折り畳み可能となっており、
もって該ボトル容器は、使用後において、コンパクト化可能となっていること、を特徴とするボトル容器。
【請求項２】
請求項１に記載したボトル容器において、該底部から該胴部内に向け内筒部が立設されており、該内筒部は、有頂で下面が開放された円筒状をなし、内周面にネジが螺刻され、他の同一ボトル容器の口部のネジと螺合可能となっており、
もって該ボトル容器は、使用後において、他の同一ボトル容器と連結可能となっていること、を特徴とするボトル容器。
【請求項３】
請求項２に記載したボトル容器において、該内筒部は、上方に係止用の突部が付設され、該口部は、下方に係止用の受部が付設され、該胴部が折り畳まれた際、該内筒部上の該突部が、該口部下の該受部に係止可能となっており、
もって該ボトル容器は、使用後において、折り畳まれた該胴部の弾性戻り伸長が阻止されて、コンパクト状態が維持されること、を特徴とするボトル容器。
【請求項４】
請求項３に記載したボトル容器において、該内筒部上の突部は、横突状の凸条よりなり、該口部下の受部は、横凹状の周溝よりなること、を特徴とするボトル容器。
【請求項５】
請求項３に記載したボトル容器において、該ボトル容器は、ペットボトル，その他の樹脂製容器よりなり、該胴部内に飲料が収納され、かつ該胴部が、ジャバラ構造よりなること、を特徴とするボトル容器。
【発明の詳細な説明】
【技術分野】
【０００１】
本発明は、ボトル容器に関する。例えば飲料用のペットボトル、その他のボトル容器に関するものである。
【背景技術】
【０００２】
《技術的背景について》
例えば、飲料水，清涼飲料，ジュース，お茶，アルコール飲料等を収納する容器として、ボトル容器が広く使用されている。
この種のボトル容器としては、ポリエチレンテレフタレート樹脂（ＰＥＴ樹脂）製のペットボトル、その他の樹脂製容器が代表的に使用されている。
【０００３】
《従来技術について》
さて、この種のボトル容器は、キャップ蓋で開閉される口部と、内部に収納空間を形成して飲料等を収納する胴部と、底部とを備えている。
そして、この種のボトル容器は、通常は使用後、一旦保管された後、廃棄処分される。例えば、収納された飲料を飲んだ後、ボトル容器は一旦保管された後、ゴミ収積所へと持参されて、廃棄処分されている。
【発明の概要】
【発明が解決しようとする課題】
【０００４】
《課題について》
ところで、この種従来例については、次の課題が指摘されていた。この種のボトル容器は、飲料等を収納するに足る収納空間が内部に形成されており、一定容積，大きさ，嵩を備えている。又、最近ますます多用される傾向にあり、使用済のボトル容器が多量に発生する状況にある。
さてそこで、使用済のボトル容器が、大きいまま嵩張ると共に、多量に発生し、スペースを取って散乱し易く、その保管や廃棄処分に苦慮する、という問題が指摘されていた。
例えば家庭では、使用済のボトル容器が、いくつも嵩張って場所を取ると共に、散らばって散乱し易い等、保管に苦慮する状況にある。又、ゴミ収積所への持参に際しても、何個も大きく嵩張って、袋等への収納に難儀する、という指摘もあった。
その他、各種事業所，高速道路のサービスエリア，コンビニ等々でも、同様な状況となっていた。
【０００５】
《本発明について》
本発明のボトル容器は、このような実情に鑑み、上記従来例の課題を解決すべくなされたものである。
そして本発明は、第１に、使用後は折り畳まれて、コンパクト化され、第２に、もって使用後の保管や廃棄処分が、簡単容易化されて楽になる、ボトル容器を提案することを、目的とする。
【課題を解決するための手段】
【０００６】
《請求項について》
このような課題を解決する本発明の技術的手段は、特許請求の範囲に記載したように、次のとおりである。まず、請求項１については次のとおり。
請求項１のボトル容器は、上から順に小径の口部と、より大径の胴部と、底部とを、備えている。
そして該口部は、外周面にネジが螺刻され、上下面が開放された円筒状をなし、キャップ蓋にて螺合開閉可能となっている。又、該胴部は、常時は、内部に収納空間を形成して収納対象を収納すると共に、使用後は、上下に圧縮変形，折り畳み可能となっている。
もって該ボトル容器は、使用後において、コンパクト化可能となっていること、を特徴とする。
請求項２については、次のとおり。請求項２のボトル容器では、請求項１において、該底部から該胴部内に向け内筒部が立設されている。そして該内筒部は、有頂で下面が開放された円筒状をなし、内周面にネジが螺刻され、他の同一ボトル容器の口部のネジと螺合可能となっている。
もって該ボトル容器は、使用後において、他の同一ボトル容器と連結可能となっていること、を特徴とする。
請求項３については、次のとおり。請求項３のボトル容器では、請求項２において、該内筒部は、上方に係止用の突部が付設され、該口部は、下方に係止用の受部が付設されている。そして、該胴部が折り畳まれた際、該内筒部上の該突部が、該口部下の該受部に係止可能となっている。
もって該ボトル容器は、使用後において、折り畳まれた該胴部の弾性戻り伸長が阻止されて、コンパクト状態が維持されること、を特徴とする。
請求項４については、次のとおり。請求項４のボトル容器では、請求項３において、該内筒部上の突部は、横突状の凸条よりなり、該口部下の受部は、横凹状の周溝よりなること、を特徴とする。
請求項５については、次のとおり。請求項５のボトル容器では、請求項３において、該ボトル容器は、ペットボトル，その他の樹脂製容器よりなり、該胴部内に飲料が収納される。かつ該胴部が、ジャバラ構造よりなること、を特徴とする。
【発明の効果】
【０００７】
《第１の効果》
第１に、このボトル容器は、例えば収納された飲料を飲んだ後などの使用後は、折り畳まれてコンパクト化される。
すなわち、本発明のボトル容器は、使用後は、胴部が上下に圧縮変形，折り畳みされて、コンパクト化される。そして、内筒部上の突部を、口部下の受部に係止することにより、折り畳まれた胴部の弾性戻り伸長が防止され、事後もコンパクト状態が維持される。
更に、内筒部内に他の同一ボトル容器の口部を、螺合挿入することにより、相互連結することができる。複数個更には多数個を、順次つないで行くことも、可能である。
これらにより、前述したこの種従来例のボトル容器のように、使用済のものが嵩張って、スペースを取るようなことも無くなる。
【０００８】
《第２の効果》
第２に、もってこのボトル容器は、使用後の保管や廃棄処分が、簡単容易化されて楽になる。
すなわち、本発明のボトル容器は、使用後は取り畳まれコンパクト化され、相互連結しておくことも可能である。もって、前述したこの種従来例のボトル容器のように、嵩張ってスペースを取り、散らばり散乱し易い等、保管や廃棄処分に苦慮する事態は、解消される。
本発明のボトル容器は、各家庭，各種事業所，サービスエリア，コンビニ，その他等々において、保管が何個でも簡単容易であり、楽である。又、ゴミ収積所への持参に際しても、袋等に多数個収納可能であり、廃棄処分も簡単容易で楽である。
そして、この種のボトル容器は、今後ますます多用されることが予測され、使用後のボトル容器が更に多量に発生する状況に鑑み、本発明の意義は極めて大なるものがある。
【図面の簡単な説明】
【０００９】
【図１】本発明に係るボトル容器について、発明を実施するための形態の説明に供し、（１）図は、常時つまり使用時の正面図であり、（２）図は、使用後の折り畳み状態の正面図である。
【図２】同発明を実施するための形態の説明に供し、使用後の折り畳み状態であって、他の同一ボトル容器との相互連結した状態を示し、正面図である。
【図３】同発明を実施するための形態の説明に供し、内筒部上の突部の各種例であり、（１）図は第１例を、（２）図は第２例を、（３）図は第３例を、（４）図は第４例を示す。
【発明を実施するための形態】
【００１０】
以下、本発明を実施するための形態について、図面を参照して詳細に説明する。
《本発明の概要について》
まず、本発明の概要について、図１，図２を参照して、説明する。
このボトル容器１は、上から順に小径の口部２と、より大径の胴部３と、底部４とを、備えている。
口部２は、外周面にネジ５が螺刻され、上下面が開放された円筒状をなし、キャップ蓋６にて螺合開閉可能となっている。胴部３は、常時は、内部に収納空間７を形成して、収納対象を収納すると共に、使用後は、上下に圧縮変形，折り畳み可能となっている。もって、このボトル容器１は、使用後において、上下にコンパクト化可能となっている。
又、底部４から胴部３内に向け、内筒部８が立設されている。この内筒部８は、有頂で下面が開放された円筒状をなし、内周面にネジ９が螺刻され、他の同一ボトル容器１の口部２のネジ５と、螺合可能となっている。もって、このボトル容器１は、使用後において、他の同一ボトル容器１と連結可能となっている。
更に内筒部８は、上方に係止用の突部１０が付設されている。口部２は、下方に係止用の受部１１が付設されている。そして、胴部３が折り畳まれた際、内筒部８上の突部１０が、口部２下の受部１１に係止可能となっている。もって、このボトル容器１は、使用後において、折り畳まれた該胴部３の弾性戻り伸長が防止されて、コンパクト状態が維持される。
本発明の概要は、このようになっている。
【００１１】
《本発明の詳細について》
以下、このような本発明の詳細について、図１，図２，図３を参照して、説明する。
まず、ボトル容器１としては、ＰＥＴ樹脂（ペットボトルの場合），ポリプロピレン，ポリエチレン，その他の樹脂製のものが代表的であるが、金属製，その他の各種材料製のものも考えられる。そして常時は、胴部３の内部に所定容積の収納空間７が形成されており、収納対象を収納する。
ボトル容器１の胴部３内に収納される収納対象としては、飲料水，清涼飲料，ジュース，お茶，アルコール飲料，コーヒー，ココア，その他の飲料が、代表的である。
それ以外でも、しょうゆ，ソース，ケチャップ，その他の調味料や、食用油脂，その他の油類や、シャンプー，リンス，クリーム，化粧水，整髪料，その他の化粧品や、染料，顔料，塗料，インク等々、その他各種の液状，クリーム状，ゲル状，ゼリ状の収納対象が、考えられる。
ボトル容器１について、一般的には以上のとおり。
【００１２】
《胴部３について》
次に、このボトル容器１の胴部３について、説明する。
まず、胴部３の形状は、円筒状のものが代表的であるが、角筒状，その他各種形状のものも考えられる。
そして、このような胴部３は、使用後において、上下に圧縮変形，折り畳み可能となっている。この胴部３は、上下方向に圧縮力を加えることにより、上下に座屈して潰れ、もって上下に折り畳まれてコンパクト化されることが、可能である。
このように圧縮変形，折り畳み可能な胴部３の構造としては、図示したジャバラ構造１２が代表的である。すなわち胴部３について、横方向への波状凹凸を、上下方向に一定ピッチで多数反復形成した略アコーディオン形状のものが、代表的である。なお、この種のボトル容器１において、類似のジャバラ構造は、持ち易さ向上や滑り止めのため、従来より一部で採用されている。
しかし、胴部３の構造は、このようなジャバラ構造１２に限定されるものではなく、その他各種可能である。例えば、渦巻き状や螺せん状の凹凸構造、上下方向の各要所毎に横溝を形成した構造が、考えられる。その他、常時は内部に収納空間７を形成すべく、ハードな固定形状を維持しているが、使用後において、手で圧縮力を加えることにより、圧縮変形して折り畳み可能な各種構造が、考えられる。
勿論、ボトル容器１は収納対象が収納された状態で運搬，保管，使用されることに鑑み、通常予測される落下，変形，損傷事故等に耐え得る肉厚等の強度を備えていること、つまり収納対象の漏出事故を防止可能な固定形状維持能力を備えていることが、前提条件となる。
このように、このボトル容器１は使用後において、まず、胴部３が上下に折り畳み可能であり、上下にコンパクト化可能である。
ボトル容器１の胴部３については、以上のとおり。
【００１３】
《口部２や底部４について》
次に、このボトル容器１の口部２や底部４について、説明する。
ボトル容器１は、このような胴部３の上側に口部２を、下側に底部４を備えている。まず底部４は、中空の筒状をなす胴部３の下面を、閉塞する。
口部２は、内部収納された収納対象の取出箇所として、胴部３上に連接して突出形成されており、上下面が開放された中空の円筒状をなす。多くの場合、胴部３に比し口部２が小径をなし、径が異なる両者間には、図示のように肩部１３が形成されることも多い。
そして口部２は、その外周面にネジ５が螺刻されており、キャップ蓋６内周面に螺刻されたネジ１４と、螺合可能となっている。もって口部２は、ネジ５とネジ１４との螺合と螺合解放とにより、着脱されるキャップ蓋６にて、開放，閉鎖可能となっている。
ボトル容器１の口部２や底部４については、以上のとおり。
【００１４】
《内筒部８等について》
次に、このボトル容器１に設けられた内筒部８等について、説明する。
ボトル容器１の底部４の中央部からは、胴部３内に向けて内筒部８が立設され、もって胴部３内に位置している。使用前や使用中の胴部３の下部や中央部に、位置している。
この内筒部８は、中空の円筒状をなすと共に、頂面１５が閉鎖され、下面が開放されており、内周面にネジ９が螺刻されている。
このネジ９は、前述した口部２の外周面のネジ１４と螺合可能な螺状関係となっている。つまり、他の同一ボトル容器１の口部２のネジ１４と、螺合可能となっている。
そこでボトル容器１は、他の同一ボトル容器１と相互連結可能となっている。すなわち、ボトル容器１の口部２は、使用前や使用中は、キャップ蓋６にて螺合開閉されるが、使用後は、他の同一ボトル容器１の内筒部８に対して、螺合挿入可能となっている。
【００１５】
このようにして、このボトル容器１は、使用後において、他の使用後の同一ボトル容器１と、相互連結可能となっている（なお使用前や使用中も、同様に相互連結可能であるが、そのニーズに乏しい）。
又、使用後のボトル容器１は、前述により折り畳まれてコンパクトされていることに鑑み、このような相互連結を、複数更には多数のボトル容器１について、次々と連続的に実施して行くことが、容易である。
そこで例えば、コンパクト化されると共にこのように連続的に相互連結されたボトル容器１を、単に保管や廃棄処分するだけではなく、子供の遊び道具や浮き袋等として利用することも、考えられる。
なお、前述した折り畳みと、上述した相互連結との時間的前後関係は、どちらでもよい。つまり折り畳み実施が、相互連結実施の前となっても後となっても良く、どちらも可能である。又、折り畳みと相互連結について、いずれか一方のみを実施することも、勿論可能である。
ボトル容器１の内筒部８等については、以上のとおり。
【００１６】
《突部１０と受部１１等について》
次に、ボトル容器１に付設される突部１０と受部１１等について、説明する。
上述した内筒部８には、上方に突部１０が付設されており、対応して、前述した口部２には、下方に受部１１が付設されている。そして、ボトル容器１の使用後において、胴部３が折り畳まれると、この突部１０と受部１１とが係止すべく、両者の上下および左右の位置関係が設定されている。
図１，図２，図３の（１）図等に示した例は、その代表例を示す。この図示例の内筒部８は、まず、ネジ９が螺刻された内周面の上位に上部空間１６が形成されており、この上部空間１６上に頂面１５が形成されている。そして、この内筒部８の頂面１５付近に、係止用の突部１０が、外横向きに（使用前や使用中を示す図１の（１）図の状態では、胴部３内に向けて）突出しつつ、一体付設形成されている。図示例の突部１０は、横突状の凸条１７として形成されている。
これに対応して、口部２の下側、図示例では肩部１３上側には、係止用の受部１１が、内向き横向きの凹部として、一体付設形成されている。図示例の受部１１は、横凹状の周溝１８として形成されている。
【００１７】
なお、内筒部８上に形成される突部１０や、口部２下に形成される受部１１は、このような凸条１７や周溝１８に限定されるものではなく、その他各種可能である。
例えば突部１０は、凸条１７ではなく不連続の突起としてもよく、この場合、受部１１は、周溝１８であっても良いが、周溝１８ではなく不連続の凹部としても良い。
又、突部１０の内筒部８への付設方法等に関しても、例えば図３の（２）図に示したように、内筒部８の頂面１５と高さ位置が一致せず、その上位に凸条１７を設けるようにしてもよい。又、図３の（３）図，（４）図に示したように、凸条１７ではなく不連続の突起とすると共に、保持部材１９にて内筒部８の頂面１５の上に、立設するようにしても良い。
なお、図３の（２）図，（３）図，（４）図の図示例では、内筒部８について、頂面１５下に上部空間１６は存していない（図１，図２，図３の（１）図の例と、比較対照）。
【００１８】
いずれにしても、このボトル容器１は、使用後に胴部３を圧縮変形させて折り畳むと、内筒部８上の突部１０が、折り畳み分だけ相対的に上昇して、口部２下の受部１１に係止される位置関係となっている。そして一旦係止されると、事後は、その係止，嵌合状態が維持されることになる。
そこで、このボトル容器１は、使用後に折り畳まれると、この折り畳み状態が、固定的に不動に保持されるようになる。
すなわち、ボトル容器１の胴部３は、折り畳みの基となる圧縮変形により、そのままでは弾性戻りし、折り畳み状態が再び元の伸長状態へと、若干でも復帰する可能性がある。これに対し、上述したように突部１０が受部１１に係止されることにより、このようなスプリングバックの可能性は、阻止される。ボトル容器１は、使用後の折り畳み状態が、維持されるようになる。
突部１０と受部１１等については、以上のとおり。
【符号の説明】
【００１９】
１  ボトル容器
２  口部
３  胴部
４  底部
５  ネジ
６  キャップ蓋
７  収納空間
８  内筒部
９  ネジ
１０  突部
１１  受部
１２  ジャバラ構造
１３  肩部
１４  ネジ
１５  頂面
１６  上部空間
１７  凸条
１８  周溝
１９  保持部材
【図１】
2011131890.tif 000003
【図２】
2011131890.tif 000004
【図３】
2011131890.tif 000005